(57)【特許請求の範囲】
【請求項１】
台板と、該台板に立設される側壁と、該側壁の上部に設けられる天板とでローソクや線香等の燃焼物が入れられて燃焼させられる収容空間を形成し、上記側壁の前側に上記収容空間に上記燃焼物を入れるための開口を形成し、該開口に開閉可能な扉部を設けた墓用灯明台において、
上記台板に、上記収容空間内に燃焼空気を取入れる空気取入口を形成し、上記天板に、上記収容空間内から空気を排出する空気排出口を形成し、
上記空気排出口に、排出される空気を導く排気塔を設け、
上記排気塔を、上記空気排出口に差し込まれる筒状の差込部と、該差込部に連設され筒状かつ網状の網状体と、該網状体に被冠された屋根部とを備えて構成したことを特徴とする墓用灯明台。
【請求項２】
上記台板の前面に模様を形成する凹部を形成し、該台板に上記凹部と空気取入口とを連通する空気通路を形成したことを特徴とする請求項１記載の墓用灯明台。
【請求項３】
上記天板の内側面に、遮熱材を被覆したことを特徴とする請求項１または２記載の墓用灯明台。
【請求項４】
上記扉部を、上記開口に嵌着される枠体と、該枠体にヒンジを介して開閉可能に設けられ上記収容空間内が見える透明板を有した扉とを備えて構成したことを特徴とする請求項１，２または３記載の墓用灯明台。
【請求項５】
上記開口を台板，側壁及び天板とで形成し、該開口縁部に上記扉部の枠体の外縁部が嵌合する嵌合溝を形成したことを特徴とする請求項４記載の墓用灯明台。
【発明の詳細な説明】
【０００１】
【発明の属する技術分野】
本発明は、墓に隣接して設置される墓用灯明台に係り、特に、墓参時に雨や風の影響を受けることなくローソクや線香等の燃焼物を燃焼させることのできる墓用灯明台に関する。
【０００２】
【従来の技術】
従来、この種の墓用灯明台としては、例えば、実開平７−３４１６７号公報に掲載されたものが知られている。
これは、図５及び図６に示すように、台板１と、台板１の周囲に立設される側壁２と、側壁２の上部に設けられる天板３とで、ローソクＦ1 や線香Ｆ2 等の燃焼物Ｆが入れられて燃焼させられる収容空間４を形成し、側壁２の前側に、収容空間４に燃焼物Ｆを入れるための開口５を形成し、この開口５に開閉可能な扉部６を設けている。扉部６は、所謂観音開きタイプの扉であって、開口５に並設される一対の透明なガラス７を、各ガラス７の側端部において、軸金具８を介して台板１及び天板３に回動可能に設けている。
そして、扉部６を開いて、ローソクＦ1 や線香Ｆ2 等の燃焼物Ｆを収容空間４内に収納し、次に、燃焼物Ｆに火を付け、その後、扉部６を閉める。この場合、燃焼空気が扉部６の隙間から流入し、側壁２の後側の上部に設けた排気口９から流出していき、これにより、雨や風の影響を受けることなく燃焼物Ｆが燃焼させられる。
【０００３】
【発明が解決しようとする課題】
ところで、このような従来の墓用灯明台にあっては、燃焼空気が扉部６の隙間から流入するので、空気の流れが悪く、そのため、収容空間４内に熱がこもってしまうという問題があった。
熱がこもると、例えば、天板３が加熱されるので、急に雨が降ってきたり、遣り水がかけられたような場合には、天板３が割れてしまうことがあり、あるいは、扉部６のガラス７の軸金具８がプラスチック製であるような場合には、軸金具８が変形してしまって扉部６の開閉に支障が出てくる等、耐久性を損ねてしまう。
また、ススが出易くなり、このススが側壁２や天板３の内面に付着して外観品質を悪くしてしまう。更にまた、ローソクＦ1 が大きいような場合には、ローソクＦ1 自体が変形してしまい、燃焼物Ｆに悪影響を与える等、種々の問題を引起こしてしまう。
【０００４】
本発明は上記の問題点に鑑みて為されたもので、空気の流れを円滑にして、収容空間内に熱がこもりにくくなるようにし、もって、耐久性を向上させ、外観品質を損なわせないようにするとともに、燃焼物に悪影響を与えることなく燃焼を行なわせるようにした墓用灯明台を提供することを目的とする。
【０００５】
【課題を解決するための手段】
このような目的を達成するため、本発明の墓用灯明台は、台板と、該台板に立設される側壁と、該側壁の上部に設けられる天板とでローソクや線香等の燃焼物が入れられて燃焼させられる収容空間を形成し、上記側壁の前側に上記収容空間に上記燃焼物を入れるための開口を形成し、該開口に開閉可能な扉部を設けた墓用灯明台において、上記台板に、上記収容空間内に燃焼空気を取入れる空気取入口を形成し、上記天板に、上記収容空間から空気を排出する空気排出口を形成した構成としている。
【０００６】
そして、必要に応じ、上記台板の前面に模様を形成する凹部を形成し、該台板に上記凹部と空気取入口とを連通する空気通路を形成した構成としている。
そしてまた、上記空気排出口に、排出される空気を導く排気塔を設けた構成としている。
また、上記排気塔を、上記空気排出口に差し込まれる筒状の差込部と、該差込部に連設され筒状かつ網状の網状体と、該網状体に被冠された屋根部とを備えて構成している。
また、必要に応じ、上記天板の内側面に、遮熱材を被覆した構成としている。
【０００７】
更に、必要に応じ、上記扉部を、上記開口に嵌着される枠体と、該枠体にヒンジを介して開閉可能に設けられ上記収容空間内が見える透明板を有した扉とを備えて構成している。
この場合、上記開口を台板，側壁及び天板とで形成し、該開口縁部に上記扉部の枠体の外縁部が嵌合する嵌合溝を形成したことが有効である。
【０００８】
【発明の実施の形態】
以下、添付図面に基づいて、本発明の実施の形態に係る墓用灯明台について詳細に説明する。尚、上記と同様のものには同一の符号を付して説明する。
図１乃至図４に示すように、実施の形態に係る墓用灯明台の基本的構成は、石製の台板１と、台板１の周上に立設される石製の側壁２と、側壁２の上部に設けられる石製の天板３とを備え、この台板１，側壁２及び天板３とでローソクＦ1 や線香Ｆ2 等の燃焼物Ｆが入れられて燃焼させられる収容空間４が形成され、側壁２の前側に収容空間４に燃焼物Ｆを入れるための開口５が形成され、この開口５に開閉可能な扉部３０が設けられた構成となっている。
そして、台板１には、収容空間４内に燃焼空気を取入れる空気取入口１０が形成され、天板３には、収容空間４内から空気を排出する空気排出口２０が形成されている。
【０００９】
詳しくは、台板１は、略矩形板状に形成され上面１ａが平面に形成され、図１及び図４に示すように、燃焼物ＦとしてのローソクＦ1 がローソク立て１１を介して載置されるように形成されている。また、中央後部には、燃焼物Ｆとしての線香Ｆ2 が燃焼状態で立てられるカップ状の線香立て１２が嵌挿される嵌挿口１３が形成されている。台板１の前面には模様を形成する凹部１４が形成されている。
そして、台板１の中央前側であって嵌挿口１３の前側に、収容空間４内に燃焼空気を取入れる軸線を垂直とする断面円形の空気取入口１０が形成されている。また、台板１の下側に、凹部１４と空気取入口１０とを連通する空気通路１５が形成されており、空気が凹部１４から空気通路１５及び空気取入口１０を通って収容空間４内に導入されるようにしている。
【００１０】
側壁２は、横断面コ字状に形成されて前側が開放されている。そして、開口５が、台板１，側壁２及び天板３とで形成されている。
天板３は、略矩形板状に形成されている。この天板３には、収容空間４から空気を排出する軸線を垂直とする断面円形の空気排出口２０が形成されている。
この空気排出口２０には、排出される空気を導く金属製の排気塔２１が設けられている。排気塔２１は、空気排出口２０に差し込まれる筒状の差込部２２と、差込部２２に連設され筒状かつ網状に形成されて空気を通過させる網状体２３と、該網状体２３に被冠された屋根部２４とを備えて構成されている。差込部２２の外側には、空気排出口２０の内面に弾接して差込部２２を押えるばね部材２５が等角度関係で複数（実施の形態では４つ）設けられている。また、差込部２２と網状体２３との境界部には、差込部２２と空気排出口２０との隙間を覆う鍔２６が設けられている。
また、天板３の内側面には、遮熱材２７が被覆されている。この遮熱材２７は、アルミニウム等の金属製のテープであって、天板３の内側面に接着剤を介して貼着されている。その他、遮熱材２７としては、表面が鏡面の金属板や石綿等、適宜のものが用いられる。
【００１１】
扉部３０は、開口５に嵌着される金属製の枠体３１と、枠体３１にヒンジ３２を介して開閉可能に設けられる扉３３とから構成されている。扉３３は金属製の枠状フレーム３４と、このフレーム３４に嵌込まれ収容空間４内が見えるガラス板や樹脂板からなる透明板３５とから構成されている。３６は閉じた扉３３のフレーム３４の端部を拘束しておくマグネット型のロック部、３７は開閉させるためのノブである。
枠体３１の外縁部であって下縁及び両側縁には外向きのフランジ３８が形成されており、開口５の開口縁部５ａであって台板１及び側壁２には枠体３１のフランジ３８が嵌合する嵌合溝３９が形成されている。そして、このフランジ３８が嵌合溝３９に嵌合させられることにより、扉部３０が開口５に固定される。
【００１２】
従って、この実施の形態に係る墓用灯明台を組立てるときは、台板１に側壁２を接着剤等を介して立設し、この状態で、扉部３０の枠体３１をそのフランジ３８において開口５の嵌合溝３９に嵌着する。それから、予め遮熱材２７を貼着した天板３を、側壁２の上部に接着剤等を介して取付ける。更に、空気排出口２０に排気塔２１を差し込み固定し、線香立て１２を嵌挿口１３に嵌挿し、組立てを完了する。
この組立てにおいては、扉部３０がユニットになっており、枠体３１を開口５の嵌合溝３９に差し込んで嵌着するだけで組付けることができるので、作業が極めて容易に行なわれ、組立て効率が向上させられる。また、枠体３１が嵌合溝３９に嵌合するので、扉部３０が確実に保持され、容易に外れる事態が防止される。
また、排気塔２１や線香立て１２も差し込むだけで取付けできるので、この点でも作業が極めて容易に行なわれ、組立て効率が向上させられる。
【００１３】
次に、この墓用灯明台を使用する場合について説明する。図４に示すように、扉部３０の扉３３を開いて、燃焼物ＦとしてのローソクＦ1 をローソク立て１１を介して台板１の上面に載置し、点火する。次に、このローソクＦ1 の火を利用する等して線香Ｆ2 に点火し、この線香Ｆ2 を線香立て１２に立てる。この場合、ローソクＦ1 は収容空間４内にあるので、風や雨の影響で消えにくくなっており、そのため、、容易に線香Ｆ2 に火をつけることができる。
そして、図１及び図４に示すように、扉部３０の扉３３を閉める。この場合も、ローソクＦ1 や線香Ｆ2 は収容空間４内にあって燃焼するので、風や雨の影響で消えてしまうことが防止される。このローソクＦ1 や線香Ｆ2 の燃焼においては、空気が空気取入口１０から収容空間４内に流入し、空気排出口２０の排気塔２１から排気されていく。
【００１４】
この場合、図１に示すように、空気取入口１０が台板１に形成され、排気塔２１が天板３に設けられているので、空気が下から上に向かう上昇気流となり、そのため、空気の換気が円滑に行なわれる。そのため、空気の流れが良いことから、収容空間４内に熱がこもってしまうことが防止される。その結果、天板３が加熱されにくくなるので、急に雨が降ってきたり、遣り水がかけられたような場合に、天板３が割れてしまう事態が防止される。特に、天板３の内側面に、遮熱材２７が被覆されているので、天板３の加熱が確実に抑制され、割れてしまう事態が確実に防止される。
【００１５】
また、収容空間４内に熱がこもってしまうことが防止されるので、扉部３０の枠体３１，扉３３のフレーム３４や透明板３５が加熱されて変形してしまうような事態も防止される。更に、空気の流れが良いことから、ローソクＦ1 や線香Ｆ2 の燃焼が良く行なわれ、そのため、ススが出にくくなるので、ススが側壁２や天板３の内面に付着して外観品質を悪くしてしまう事態が防止される。更にまた、ローソクＦ1 が大きいような場合でも、ローソクＦ1 自体が変形してしまう等、燃焼物Ｆに悪影響を与える事態が防止される。
【００１６】
更に、この場合、台板１に凹部１４と空気取入口１０とを連通する空気通路１５が形成されているので、空気を確実に空気取入口１０に導入することができ、この点で、より一層、空気の換気が円滑に行なわれ、収容空間４内に熱がこもってしまうことが防止される。また、前面の模様の凹部１４を利用して、空気を取入れるようにしているので、他の部分に特別の通路を形成する必要がなく、それだけ、加工効率が良いものになっている。
更にまた、空気排出口２０に、排出される空気を導く排気塔２１が設けられているので、排気塔２１が煙突として機能し、そのため、より一層、空気の換気が円滑に行なわれ、収容空間４内に熱がこもってしまうことが防止される。更にまた、この排気塔２１に、屋根部２４を被冠し、差込部２２と空気排出口２０との隙間を覆う鍔を設けたので、収容空間４内への雨水の侵入や木の葉等のごみの侵入が防止される。また、排気塔２１を取付けたので、全体の見映えも良くなり、外観品質が向上させられる。
また、この墓用灯明台を使用しないときに、掃除する場合には、扉３３を開けて、この状態で収容空間４内に水を流せば良い。この場合、空気取入口１０から水が流れ出すので、内部のごみを流し出すことができ、極めて容易に掃除を行なうことができる。
【００１７】
尚、上記実施の形態において、台板１，側壁２や天板３の形状は上述したものに限定されるものではなく、適宜変更して差し支えない。また、扉部３０や排気塔２１等の形態も上述したものに限定されず、適宜変更して良い。
【００１８】
【発明の効果】
以上説明したように、本発明の墓用灯明台によれば、台板に空気取入口を形成し、天板に空気排出口を形成したので、収容空間内の空気が下から上に向かう上昇気流となり、そのため、空気の換気を円滑に行なうことができる。そのため、空気の流れが良いことから、収容空間内に熱がこもってしまう事態を防止することができ、その結果、耐久性を向上させ、外観品質を損なわせないようにするとともに、燃焼物に悪影響を与えることなく燃焼を行なわせることができる。
即ち、天板が加熱されにくくなることから使用中に雨水等によって天板が割れてしまう事態を防止することができ、扉部が変形してしまうような悪影響を防止することができ、燃焼物の燃焼を良く行なわせてススを出にくくすることができ、ススが側壁や天板に付着する等して外観品質を悪くしてしまう事態を防止することができ、更には、ローソクが大きいような場合でも、ローソク自体が変形してしまう等の燃焼物に悪影響を与える事態も防止できる等、種々の効果を奏する。
また、掃除する場合には、扉部を開けて収容空間内に水を流せば、空気取入口から水が流れ出すので、内部のごみを流し出すことができ、極めて容易に掃除を行なうことができる。
【００１９】
そして、台板の前面に模様を形成する凹部を形成し、台板に凹部と空気取入口とを連通する空気通路を形成した場合には、空気を確実に空気取入口に導入することができ、より一層、空気の換気を円滑に行なって、収容空間内に熱がこもってしまう事態を防止することができる。また、前面の模様の凹部を利用して、空気を取入れるようにしているので、他の部分に特別の通路を形成する必要がなく、それだけ、加工効率を良いものにすることができる。
【００２０】
そしてまた、空気排出口に、排出される空気を導く排気塔を設けた場合には、排気塔が煙突として機能するので、より一層、空気の換気を円滑に行なって、収容空間内に熱がこもってしまう事態を防止することができる。また、全体の見映えも良くすることができ、外観品質を向上させることができる。
また、この排気塔に、屋根部を被冠した場合には、収容空間内への雨水やごみの侵入を防止することができる。
更に、天板の内側面に、遮熱材を被覆した場合には、天板の加熱を確実に抑制することができ、使用中に雨水等によって天板が割れてしまう事態を確実に防止することができる。
【００２１】
更にまた、扉部を、開口に嵌着される枠体と、枠体にヒンジを介して開閉可能に設けられ収容空間内が見える透明板を有した扉とを備えて構成した場合には、扉部をユニットにすることができるので、扉部の組付け作業を極めて容易に行なうことができ、組立て効率を向上させることができる。
また、開口を台板，側壁及び天板とで形成し、開口縁部に扉部の枠体の外縁部が嵌合する嵌合溝を形成した場合には、枠体を嵌合溝に嵌合させることができるので、扉部を確実に保持することができ、容易に外れる事態を防止することができる。
【図面の簡単な説明】
【図１】本発明の実施の形態に係る墓用灯明台を使用状態とともに示す側面断面図である。
【図２】本発明の実施の形態に係る墓用灯明台を示す分解斜視図である。
【図３】本発明の実施の形態に係る墓用灯明台の外観を示す斜視図である。
【図４】本発明の実施の形態に係る墓用灯明台を使用状態とともに示す斜視図である。
【図５】従来の墓用灯明台の一例を示す斜視図である。
【図６】従来の墓用灯明台を示す側面断面図である。
【符号の説明】
Ｆ  燃焼物
Ｆ1   ローソク
Ｆ2   線香
１  台板
２  側壁
３  天板
４  収容空間
５  開口
１０  空気取入口
１１  ローソク立て
１２  線香立て
１３  嵌挿口
１４  凹部
１５  空気通路
２０  空気排出口
２１  排気塔
２２  差込部
２３  網状体
２４  屋根部
２５  ばね部材
２６  鍔
２７  遮熱材
３０  扉部
３１  枠体
３２  ヒンジ
３３  扉
３４  フレーム
３５  透明板
３６  ロック部
３７  ノブ
３８  フランジ
３９  嵌合溝
【図１】
0003774510.tif 000002
【図２】
0003774510.tif 000003
【図３】
0003774510.tif 000004
【図４】
0003774510.tif 000005
【図５】
0003774510.tif 000006
【図６】
0003774510.tif 000007